(57)【要約】【課題】被覆電線の被覆材を破って接続板片に確実に芯線を接続させた状態で当該被覆電線をセットすることのできる「被覆電線セット機構」を提供することである。【解決手段】第１のハウジング１０と、第２のハウジング２０とを有する被覆電線セット機構であって、第１のハウジング１０には、第１のガイド溝１１ａの縁線１１ａ（ｓ２）から当該第１のガイド溝１１内にはみ出すように配置された金属製の第１の接続板片１３と、第１の接続板片１３と前記第１のガイド溝１１ａの延びる方向においてずれた位置に、前記第１のガイド１１ａ溝内に逆側の縁線１１ａ（ｓ１）からはみ出すように配置された第１の規制ブロック１２ａとが設けられ、第２のハウジング２０は、第１のハウジング１０に結合された際に被覆電線Ｗｏを前記第１の規制ブロック１２ａと挟みつつ第１のガイド溝１１ａに向けて押す第２の規制ブロック２３が設けられた構成となる。【選択図】図５Ａ
2010027526.tif 000002
【特許請求の範囲】
【請求項１】
被覆電線をガイドする第１のガイド溝の形成された第１のハウジングと、
前記第１のガイド溝に対応した第２のガイド溝が形成され、該第２のガイド溝が前記第１のガイド溝に対向接合するように前記第１のハウジングと結合可能な第２のハウジングとを有し、
前記第１のハウジングには、
前記第１のガイド溝の縁線から当該第１のガイド溝内にはみ出すように配置された金属製の第１の接続板片と、
前記第１の接続板片と前記第１のガイド溝の延びる方向においてずれた位置に、前記第１のガイド溝内に前記第１の接続板片と逆側の縁線からはみ出すように配置された第１の規制ブロックと、が設けられ、
前記第２のハウジングは、
前記第１のハウジングに結合された際に前記被覆電線を前記第１の規制ブロックと挟みつつ前記第１のガイド溝に向けて押す第２の規制ブロックが設けられるとともに、
前記第１のハウジングに結合された際に前記第１のハウジングの前記第１の接続板片及び前記第１の規制ブロックが入り込む空隙部が形成され、
更に、前記第１のハウジングには、
前記第２のハウジングの前記第２の規制ブロックが入り込む空隙部が形成された、被覆電線セット機構。
【請求項２】
前記第２のハウジングにおいて、更に、
前記第２の規制ブロックが、前記第２のガイド溝の縁線から当該第２のガイド溝内にはみ出すように配置されており、
前記第２の規制ブロックと前記第２のガイド溝の延びる方向においてずれた位置に、前記第２のガイド溝に前記第２の規制ブロックと逆側の縁線からはみ出すように配置された第２の接続板片が設けられ、
前記第１のハウジングには、
前記第２のハウジングに結合された際に前記第２の接続板片が入り込む空隙部が形成された、請求項１記載の被覆電線セット機構。
【請求項３】
第１の被覆電線をガイドする第１のガイド溝と、該第１のガイド溝と並んで配置され、第２の被覆電線をガイドする第２のガイド溝とが形成された第１のハウジングと、
前記第１のガイド溝及び前記第２のガイド溝に対応した第３のガイド溝及び第４のガイド溝が形成され、前記第３のガイド溝が前記第１のガイド溝に対向接合するとともに前記第４のガイド溝が前記第２のガイド溝に対向接合するように前記第１のハウジングと結合可能な第２のハウジングとを有し、
前記第１のハウジングと前記第２のハウジングとを結合させて、対向接合する前記第１のガイド溝及び前記第３のガイド溝にて囲まれる空間を通る第１の被覆電線と、対向接合する前記第２のガイド溝及び前記第４のガイド溝にて囲まれる空間を通る第２の被覆電線とを電気的に接続する被覆電線接続器であって、
前記第１のハウジングには、
前記第１のガイド溝の縁線から当該第１のガイド溝内にはみ出すように配置された金属製の第１の接続板片と、
前記第２のガイド溝の縁線から当該第２のガイド溝内にはみ出すように配置され、前記第１の金属板片と電気的に導通する金属製の第２の接続板片と、
前記第１の接続板片と前記第１のガイド溝の延びる方向においてずれた位置に、前記第１のガイド溝内に前記第１の接続板片と逆側の縁線からはみ出すように配置された第１の規制ブロックと、
前記第２の接続板片と前記第２のガイド溝の延びる方向においてずれた位置に、前記第２のガイド溝内に前記第２の接続板片と逆側の縁線からはみ出すように配置された第２の規制ブロックと、が設けられ、
前記第２のハウジングは、
前記第１のハウジングに結合された際に前記第１の被覆電線を前記第１の規制ブロックと挟みつつ前記第１のガイド溝に向けて押す第３の規制ブロックと、
前記第１のハウジングに結合された際に前記第２の被覆電線を前記第２の規制ブロックと挟みつつ前記第２のガイド溝に向けて押す第４の規制ブロックとが設けられるとともに、
前記第１のハウジングに結合された際に前記第１のハウジングの前記第１の接続板片、前記第２の接続板片、前記第１の規制ブロック及び前記第２の規制ブロックが入り込む空隙部が形成され、
更に、前記第１のハウジングには、
前記第２のハウジングに結合された際に前記第２のハウジングの前記第３の規制ブロック及び前記第４の規制ブロックが入り込む空隙部が形成された、被覆電線接続器。
【請求項４】
前記第１の接続板片と前記第２の接続板片とが単一の共通接続板片にて形成され、
該共通接続板片の一方端部が前記第１の接続板片として前記第１のガイド溝の縁線から当該第１のガイド溝にはみ出し、前記共通接続板片の他方端部が前記第２の接続片として前記第２のガイド溝の縁線から当該第２のガイド溝にはみ出している、請求項３記載の被覆電線接続器。
【請求項５】
前記第３の規制ブロックと前記第４の規制ブロックとが前記第３のガイド溝から前記第４のガイド溝に渡って形成された単一の共通規制ブロックにて形成され、
該共通規制ブロックの一方端部が前記第３の規制ブロックとして機能し、前記共通規制ブロックの他方端部が前記第４の規制ブロックとして機能する、請求項３または４記載の被覆電線接続器。
【請求項６】
前記第２のハウジングにおいて、更に、
前記第３の規制ブロックが、前記第３のガイド溝の縁線から当該第３のガイド溝内にはみ出すように配置されており、
前記第３の規制ブロックと前記第３のガイド溝の延びる方向においてずれた位置に、前記第３のガイド溝に前記第３の規制ブロックと逆側の縁線からはみ出すように配置された第３の接続板片が設けられ、
前記第４の規制ブロックが、前記第４のガイド溝の縁線から当該第４のガイド溝内にはみ出すように配置されており、
前記第４の規制ブロックと前記第４のガイド溝の延びる方向においてずれた位置に、前記第４のガイド溝に前記第４の規制ブロックと逆側の縁線からはみ出すように配置された第４の接続板片が設けられ、
前記第１のハウジングには、
前記第２のハウジングに結合された際に前記第２のハウジングの前記第３の接続板片及び前記第４の接続板片が入り込む空隙部が形成された、請求項３乃至５のいずれかに記載の被覆電線接続器。
【請求項７】
前記第１の接続板片及び前記第３の接続板片は、前記第１のガイド溝及び前記第３のガイド溝の延びる方向において、同じ位置に配置され、
前記第２の接続板片及び前記第４の接続板片は、前記第２のガイド溝及び前記第４のガイド溝の延びる方向において、同じ位置に配置された、請求項６記載の被覆電線接続器。
【請求項８】
前記第１の規制ブロックの前記第３の規制ブロックとともに前記第１の被覆電線を挟む面の先端から所定部分及び前記第２の規制ブロックの前記第４の規制ブロックとともに前記第２の被覆電線を挟む面の先端から所定部分の少なくともいずれか一方が傾斜面となる、請求項３乃至７のいずれかに記載の被覆電線接続器。
【請求項９】
前記第３の規制ブロックの前記第１の規制ブロックとともに前記第１の被覆電線を挟む面の先端から所定部分及び前記第４の規制ブロックの前記第２の規制ブロックとともに前記第２の被覆電線を挟む面の先端から所定部分の少なくともいずれか一方が傾斜面となる、請求項３乃至８のいずれかに記載の被覆電線接続器。
【請求項１０】
前記第１の規制ブロックの前記第３の規制ブロックとともに前記第１の被覆電線を挟む面及び前記第２の規制ブロックの前記第４の規制ブロックとともに前記第２の被覆電線を挟む面の少なくともいずれか一方が粗面となる、請求項３乃至７のいずれかに記載の被覆電線接続器。
【請求項１１】
前記第３の規制ブロックの前記第１の規制ブロックとともに前記第１の被覆電線を挟む面及び前記第４の規制ブロックの前記第２の規制ブロックとともに前記第２の被覆電線を挟む面の少なくともいずれか一方が粗面となる、請求項３乃至７のいずれかに記載の被覆電線接続器。
【請求項１２】
前記傾斜面が粗面となる、請求項８または９記載の被覆電線接続器。
【請求項１３】
前記傾斜面は、階段状に形成されることで粗面となる、請求項１２記載の被覆電線接続器。
【請求項１４】
前記階段状となる前記傾斜面の各段を構成する面は、当該規制ブロックの先端に向けて立ち上がるように傾斜している、請求項１３記載の被覆電線接続器。
【請求項１５】
前記第１の規制ブロックの前記第３の規制ブロックとともに前記第１の被覆電線を挟む面の表層部分及び前記第２の規制ブロックの前記第４の規制ブロックとともに前記第２の被覆電線を挟む面の表層部分少なくともいずれか一方が軟質材にて形成される、請求項３乃至９のいずれかに記載の被覆電線接続器。
【請求項１６】
前記第３の規制ブロックの前記第１の規制ブロックとともに前記第１の被覆電線を挟む面の表層部及び前記第４の規制ブロックの前記第２の規制ブロックとともに前記第２の被覆電線を挟む面の表層部少なくともいずれか一方が軟質材にて形成される、請求項３乃至９のいずれかに記載の被覆電線接続器。
【発明の詳細な説明】
【技術分野】
【０００１】
本発明は、被覆電線の被覆材を一部破って接続板片に芯線を接続させた状態で当該被覆電線をセットする被覆電線セット機構及びその被覆電線セット機構を用いた被覆電線接続機器に関する。
【背景技術】
【０００２】
従来、被覆電線と他の被覆電線とを電気的に接続する被覆電線接続器として、例えば、図１５Ａ及び図１５Ｂに示すような構造のものが提案されている（特許文献１参照）。図１５Ａ及び図１５Ｂにおいて、この被覆電線接続器は、２本のワイヤハーネス（被覆電線）を平行にガイドするための断面略半円状のガイド溝２ａ、２ｂが形成される身部３と、この身部３の両側縁に対して薄肉ヒンジ４を介して連結されるとともに、前記ガイド溝２ａ及び２ｂに対応する断面略半円形状のガイド溝５ａ、５ｂを有する蓋部６ａ、６ｂと、双方のガイド溝２ａ、２ｂに亘って固定されると共に、ガイド溝２ａ、２ｂに対応する電線噛込みスリット７ａ、７ｂの形成された導電性の接続片７とを有している。このような構造の被覆電線接続器では、まず、蓋部６ａ、６ｂのガイド溝５ａ、５ｂに被覆電線８ａ、８ｂをセットした後、その被覆電線８ａ、８ｂと共に蓋部６ａ、６ｂを肉薄ヒンジ４を境に身部３上に被せる。そして、ペンチ等の工具を使って身部３と双方の蓋部６ａ、６ｂとを加圧結合させる。
【０００３】
このようにして身部３に被覆電線８ａ、８ｂがセットされた蓋部６ａ、６ｂを結合する従来の被覆電線接続器においては、例えば、図１６Ａ、図１６Ｂに模式的に示すように、被覆電線８ａ、８ｂの電気的な接続がなされる。即ち、蓋部６ａ、６ｂを身部３に結合することにより、被覆電線８ａ、８ｂが蓋部６ａ、６ｂのガイド溝５ａ、５ｂに受けられつつ接続片７の噛込みスリット７ａ、７ｂ内に押し入れられ、被覆電線８ａ、８ｂの被覆材が破られる。これにより、蓋部６ａのガイド溝５ａと身部３のガイド溝２ａにて囲まれる空間を通る被覆電線８ａの芯線（銅線）が噛込みスリット７ａにおいて接続片７に接続した状態になると共に、蓋部６ｂのガイド溝５ｂと身部３のガイド溝２ｂにて囲まれる空間を通る被覆線８ｂの芯線（銅線）が噛込みスリット７ｂにおいて接続片７に接続した状態になり、その結果、接続片７を介して被覆電線８ａ、８ｂが電気的に接続される。
【特許文献１】実用新案登録第２５７１４０８号公報
【発明の開示】
【発明が解決しようとする課題】
【０００４】
前述した従来の被覆電線接続器にあっては、接続片７に形成された噛込みスリット７ａ、７ｂに単に被覆電線８ａ、８ｂを入れ込むことによって被覆材を破るようにしているので、確実に被覆電線８ａ、８ｂの被覆材を破いてその芯線を接続片７に接触させて被覆電線８ａ、８ｂの電気的な接続を確実に行うことが難しい。
【０００５】
本発明は、このような事情に鑑みてなされたもので、被覆電線の被覆材を破って接続板片に確実に芯線を接続させた状態で当該被覆電線をセットすることのできる被覆電線セット機構と、該被覆電線セット機構を用いて２つの被覆電線の電気的な接続を確実に行うことのできるようにした被覆電線接続器とを提供するものである。
【課題を解決するための手段】
【０００６】
本発明に係る被覆電線セット機構は、被覆電線をガイドする第１のガイド溝の形成された第１のハウジングと、前記第１のガイド溝に対応した第２のガイド溝が形成され、該第２のガイド溝が前記第１のガイド溝に対向接合するように前記第１のハウジングと結合可能な第２のハウジングとを有し、前記第１のハウジングには、前記第１のガイド溝の縁線から当該第１のガイド溝内にはみ出すように配置された金属製の第１の接続板片と、前記第１の接続板片と前記第１のガイド溝の延びる方向においてずれた位置に、前記第１のガイド溝内に前記第１の接続板片と逆側の縁線からはみ出すように配置された第１の規制ブロックとが設けられ、前記第２のハウジングは、前記第１のハウジングに結合された際に前記被覆電線を前記第１の規制ブロックと挟みつつ前記第１のガイド溝に向けて押す第２の規制ブロックが設けられるとともに、前記第１のハウジングに結合された際に前記第１のハウジングの前記第１の接続板片及び前記第１の規制ブロックが入り込む空隙部が形成され、更に、前記第１のハウジングには、前記第２のハウジングの前記第２の規制ブロックが入り込む空隙部が形成された構成となる。
【０００７】
このような構成により、第１のハウジングにおいて、第１の接続板片と第１の規制ブロックとが、第１のガイド溝の延びる方向において異なる位置にて、両縁線から当該第１のガイド溝内にはみ出すように配置されているので、第１のガイド溝と第２のガイド溝との間に被覆電線が挟まれるようにして第１のハウジングと第２のハウジングとが結合されると、第１の規制ブロックと第２の規制ブロックとによって前記被覆電線が挟まれて位置規制がされつつ前記第２の規制ブロックによって当該被覆電線が前記第１のガイド溝に向けて押され、前記被覆電線が前記第１のガイド溝に入り込んでいく過程で、前記第１の接続板片と前記第１の規制ブロックとによって被覆電線がその延びる方向において異なる位置にてその両側から挟み込まれる状態となる。その結果、被覆電線が第１の接続板片と第１の規制ブロックとの間で傾いた状態となり、その傾いた状態の被覆電線が第１の接続板片に擦れつつ第１のガイド溝に押されていくことになるので、第１の接続板片の角が前記被覆電線の被覆材を破ってその芯線に噛込み易くなり得る。
【０００８】
なお、第１のハウジングの第１の接続板片と第１の規制ブロックとが、第２のハウジングに形成された空隙部に入り込み、第２のハウジングの第２の接続板片と第２の規制ブロックとが、第１のハウジングに形成された空隙部に入り込むようになっているので、前記被覆電線が前記第１のガイド溝及び前記第２のガイド溝にて囲まれる空間に収まる状態での第１のハウジングと第２のハウジングとの結合を妨げることがないようにすることができる。
【０００９】
また、本発明に係る被覆電線セット機構は、前記第２のハウジングにおいて、更に、前記第２の規制ブロックが、前記第２のガイド溝の縁線から当該第２のガイド溝内にはみ出すように配置されており、前記第２の規制ブロックと前記第２のガイド溝の延びる方向においてずれた位置に、前記第２のガイド溝に前記第２の規制ブロックと逆側の縁線からはみ出すように配置された第２の接続板片が設けられ、前記第１のハウジングには、前記第２のハウジングに結合された際に前記第２の接続板片が入り込む空隙部が形成された構成とすることができる。
【００１０】
このような構成により、第１のハウジングと第２のハウジングとを結合すると、前記第１の規制ブロックと前記第２の規制ブロックによって前記被覆電線が挟まれて位置規制がされつつ前記第２の規制ブロックによって当該被覆電線が前記第１のガイド溝に向けて押され、前記被覆電線が前記第１のガイド溝に入り込んでいく過程で、更に、第２の接続板片と前記第２の規制ブロックとによって被覆電線がその延びる方向において異なる位置にてその両側から挟み込まれる状態となる。その結果、被覆電線が更に第２の接続板片と第２の規制ブロックとの間で傾いた状態となり、その傾いた状態の被覆電線が第２の接続板片に擦れつつ第１のガイド溝に押され、かつ、第２のガイド溝が前記被覆電線に向かっていくことになるので、更に第２の接続板片の角が前記被覆電線の被覆材を破ってその芯線に噛込み易くなり得る。
【００１１】
また、なお、第２のハウジングに設けられた第２の接続板片が、第１のハウジングの空隙部に入り込むので、前記被覆電線が前記第１のガイド溝及び前記第２のガイド溝にて囲まれる空間に収まる状態での第１のハウジングと第２のハウジングとの結合を維持することができる。
【００１２】
本発明に係る被覆電線接続器は、第１の被覆電線をガイドする第１のガイド溝と、該第１のガイド溝と並んで配置され、第２の被覆電線をガイドする第２のガイド溝とが形成された第１のハウジングと、前記第１のガイド溝及び前記第２のガイド溝に対応した第３のガイド溝及び第４のガイド溝が形成され、前記第３のガイド溝が前記第１のガイド溝に対向接合するとともに前記第４のガイド溝が前記第２のガイド溝に対向接合するように前記第１のハウジングと結合可能な第２のハウジングとを有し、前記第１のハウジングと前記第２のハウジングとを結合させて、対向接合する前記第１のガイド溝及び前記第３のガイド溝にて囲まれる空間を通る第１の被覆電線と、対向接合する前記第２のガイド溝及び前記第４のガイド溝にて囲まれる空間を通る第２の被覆電線とを電気的に接続する被覆電線接続器であって、前記第１のハウジングには、前記第１のガイド溝の縁線から当該第１のガイド溝内にはみ出すように配置された金属製の第１の接続板片と、前記第２のガイド溝の縁線から当該第２のガイド溝内にはみ出すように配置され、前記第１の金属板片と電気的に導通する金属製の第２の接続板片と、前記第１の接続板片と前記第１のガイド溝の延びる方向においてずれた位置に、前記第１のガイド溝内に前記第１の接続板片と逆側の縁線からはみ出すように配置された第１の規制ブロックと、前記第２の接続板片と前記第２のガイド溝の延びる方向においてずれた位置に、前記第２のガイド溝内に前記第２の接続板片と逆側の縁線からはみ出すように配置された第２の規制ブロックと、が設けられ、前記第２のハウジングは、前記第１のハウジングに結合された際に前記第１の被覆電線を前記第１の規制ブロックと挟みつつ前記第１のガイド溝に向けて押す第３の規制ブロックと、前記第１のハウジングに結合された際に前記第２の被覆電線を前記第２の規制ブロックと挟みつつ前記第２のガイド溝に向けて押す第４の規制ブロックとが設けられるとともに、前記第１のハウジングに結合された際に前記第１のハウジングの前記第１の接続板片、前記第２の接続板片、前記第１の規制ブロック及び前記第２の規制ブロックが入り込む空隙部が形成され、更に、前記第１のハウジングには、前記第２のハウジングに結合された際に前記第２のハウジングの前記第３の規制ブロック及び前記第４の規制ブロックが入り込む空隙部が形成された構成となる。
【００１３】
このような構成により、第１のハウジングにおいて、第１の接続板片と第１の規制ブロックとが、第１のガイド溝の延びる方向において異なる位置にて、両縁線から当該第１のガイド溝内にはみ出すように配置されるとともに、第２の接続板片と第２の規制ブロックとが、第２のガイド溝の延びる方向において異なる位置にて、両縁線から当該第２のガイド溝内にはみ出すように配置されているので、第１のガイド溝と第３のガイド溝との間に第１の被覆電線が挟まれるとともに、第２のガイド溝と第４のガイド溝との間に第２の被覆電線が挟まれるようにして第１のハウジングと第２のハウジングとが結合されると、第１の規制ブロックと第３の規制ブロックとによって前記第１の被覆電線が挟まれて位置規制がされつつ前記第３の規制ブロックによって当該第１の被覆電線が前記第１のガイド溝に向けて押され、前記第１の被覆電線が前記第１のガイド溝に入り込んでいくとともに、第２の規制ブロックと第４の規制ブロックとによって前記第２の被覆電線が挟まれて位置規制されつつ前記第４の規制ブロックによって当該第２の被覆電線が前記第２のガイド溝に押されていく過程で、前記第１の接続板片と前記第１の規制ブロックとによって前記第１の被覆電線がその延びる方向において異なる位置にてその両側から挟み込まれるとともに、第２の接続板片と前記第２の規制ブロックとによって前記第２の被覆電線がその延びる方向において異なる位置にてその両側から挟み込まれる状態となる。その結果、第１の被覆電線が第１の接続板片と第１の規制ブロックとの間で傾いた状態となって、その傾いた状態の第１の被覆電線が第１の接続板片に擦れつつ第１のガイド溝に押されていくとともに、第２の被覆電線が第２の接続板片と第２の規制ブロックとの間で傾いた状態となって、その傾いた状態の第２の被覆電線が第２の接続板片に擦れつつ第２のガイド溝に押されていくことになるので、第１の接続板片の角が前記第１の被覆電線の被覆材を破ってその芯線に噛込み易くなり得るとともに、第２の接続板片の角が前記第２の被覆電線の被覆材を破ってその芯線に噛込み易くなる。
【００１４】
なお、第１のハウジングの第１の接続板片、第２の接続板片、第１の規制ブロック及び前記第２の規制ブロックが第２のハウジンに形成された空隙部に入り込み、第２のハウジングの第３の規制ブロック及び第４の規制ブロックが第１のハウジングに形成された空隙部に入り込むようになっているので、前記第１の被覆電線が前記第１のガイド溝及び前記第３のガイド溝にて囲まれる空間に収まるとともに、前記第２の被覆電線が前記第２のガイド溝及び前記第４のガイド溝にて囲まれる空間に収まる状態での第１のハウジングと第２のハウジングとの結合を妨げることがないようにすることができる。
【００１５】
また、本発明に係る被覆電線接続器は、前記第１の接続板片と前記第２の接続板片とが単一の共通接続板片にて形成され、該共通接続板片の一方端部が前記第１の接続板片として前記第１のガイド溝の縁線から当該第１のガイド溝にはみ出し、前記共通接続板片の他方端部が前記第２の接続片として前記第２のガイド溝の縁線から当該第２のガイド溝にはみ出している構成とすることができる。
【００１６】
このような構成により、第１のハウジングにおける第１の接続板片と第２の接続板片とが共通の部材（共通接続板片）にて形成されるので、第１のハウジングにおける構造の簡略化を図ることができる。
【００１７】
更に、本発明に係る被覆電線接続器は、前記第３の規制ブロックと前記第４の規制ブロックとが前記第３のガイド溝から前記第４のガイド溝に渡って形成された単一の共通規制ブロックにて形成され、該共通規制ブロックの一方端部が前記第３の規制ブロックとして機能し、前記共通規制ブロックの他方端部が前記第４の規制ブロックとして機能する構成とすることができる。
【００１８】
このような構成により、第２のハウジングにおける第３の規制ブロックと第４の規制ブロックとが共通の部材（共通規制ブロック）にて形成されるので、第２のハウジングにおける構造の簡略化を図ることができる。
【００１９】
また、本発明に係る被覆電線接続器は、前記第２のハウジングにおいて、更に、前記第３の規制ブロックが、前記第３のガイド溝の縁線から当該第３のガイド溝内にはみ出すように配置されており、前記第３の規制ブロックと前記第３のガイド溝の延びる方向においてずれた位置に、前記第３のガイド溝に前記第３の規制ブロックと逆側の縁線からはみ出すように配置された第３の接続板片が設けられ、前記第４の規制ブロックが、前記第４のガイド溝の縁線から当該第４のガイド溝内にはみ出すように配置されており、前記第４の規制ブロックと前記第４のガイド溝の延びる方向においてずれた位置に、前記第４のガイド溝に前記第４の規制ブロックと逆側の縁線からはみ出すように配置された第４の接続板片が設けられ、前記第１のハウジングには、前記第２のハウジングに結合された際に前記第２のハウジングの前記第３の接続板片及び前記第４の接続板片が入り込む空隙部が形成された構成とすることができる。
【００２０】
このような構成により、第１のハウジングと第２のハウジングとを結合すると、第１の規制ブロックと第３の規制ブロックとによって前記第１の被覆電線が挟まれて位置規制がされつつ前記第３の規制ブロックによって当該第１の被覆電線が前記第１のガイド溝に向けて押され、前記第１の被覆電線が前記第１のガイド溝に入り込んでいくとともに、第２の規制ブロックと第４の規制ブロックとによって前記第２の被覆電線が挟まれて位置規制されつつ前記第４の規制ブロックによって当該第２の被覆電線が前記第２のガイド溝に押されていく過程で、更に、第３の接続板片と前記第３の規制ブロックとによって第１の被覆電線がその延びる方向において異なる位置にてその両側から挟み込まれるとともに、第４の接続板片と第４の規制ブロックとによって第２の被覆電線がその延びる方向において異なる位置にてその両側から挟み込まれる状態となる。その結果、第１の被覆電線が更に第３の接続板片と第３の規制ブロックとの間で傾いた状態となり、その傾いた状態の第１の被覆電線が第３の接続板片に擦れつつ第１のガイド溝に押され、かつ、第３のガイド溝が前記第１の被覆電線に向かっていくとともに、第２の被覆電線が更に第４の接続板片と第４の規制ブロックとの間で傾いた状態となり、その傾いた状態の第２の被覆電線が第４の接続板片に擦れつつ第２のガイド溝に押され、かつ、第４のガイド溝が第２の被覆電線に向かっていくことになるので、更に第３の接続板片の角が前記第１の被覆電線の被覆材を破ってその芯線に噛込み易くなり得るとともに、第４の接続板片の角が前記第２の被覆電線の被覆材を破ってその芯線に噛込み易くなり得る。
【００２１】
また、なお、第２のハウジングに設けられた第３の接続板片及び第４の接続板片が、第１のハウジングの空隙部に入り込むので、第１の被覆電線が第１のガイド溝及び第３のガイド溝にて囲まれる空間に収まるとともに、第２の被覆電線が第２のガイド溝及び第４のガイド溝にて囲まれる空間に収まる状態での第１のハウジングと第２のハウジングとの結合を維持することができる。
【００２２】
また、本発明に係る被覆電線接続器において、前記第１の接続板片及び前記第３の接続板片は、前記第１のガイド溝及び前記第３のガイド溝の延びる方向において、同じ位置に配置され、前記第２の接続板片及び前記第４の接続板片は、前記第２のガイド溝及び前記第４のガイド溝の延びる方向において、同じ位置に配置された構成とすることができる。
【００２３】
このような構成により、第１の被覆電線がその延びる方向における同位置にて第１の接続板片と第３の接続板片とによってその被覆が破られるとともに、第２の被覆電線がその延びる方向における同位置にて第２の接続板片と第４の接続板片とによってその被覆が破られるようになるので、第１の被覆電線及び第２の被覆電線それぞれの被覆材が略全周にわたって破ることができるようになる。
【００２４】
更に、本発明に係る被覆電線接続器において、前記第１の規制ブロックの前記第３の規制ブロックとともに前記第１の被覆電線を挟む面の先端から所定部分及び前記第２の規制ブロックの前記第４の規制ブロックとともに前記第２の被覆電線を挟む面の先端から所定部分の少なくともいずれか一方が傾斜面となる構成とすることができる。
【００２５】
このような構成により、第１のハウジングと第２のハウジングとを結合する際に、第１の規制ブロックの傾斜面に沿ってよりスムーズに第１の被覆電線を当該第１の規制ブロックと第１の接続板片との間に導くこと、及び第２の規制ブロックの傾斜面に沿ってよりスムーズに第２の被覆電線を当該第２の規制ブロックと第２の接続板片との間に導くことの少なくともいずれかが可能になる。
【００２６】
また、本発明に係る被覆電線接続器において、前記第３の規制ブロックの前記第１の規制ブロックとともに前記第１の被覆電線を挟む面の先端から所定部分及び前記第４の規制ブロックの前記第２の規制ブロックとともに前記第２の被覆電線を挟む面の先端から所定部分の少なくともいずれか一方が傾斜面となる構成とすることができる。
【００２７】
このような構成により、第１のハウジングと第２のハウジングとを結合する際に、第３の規制ブロックの傾斜面に沿ってよりスムーズに第１の被覆電線を当該第３の規制ブロックと第３の接続板片との間に導くこと、及び第４の規制ブロックの傾斜面に沿ってよりスムーズに第２の被覆電線を当該第４の規制ブロックと第４の接続板片との間に導くことの少なくともいずれかが可能になる。
【００２８】
また、本発明に係る被覆電線接続器において、前記第１の規制ブロックの前記第３の規制ブロックとともに前記第１の被覆電線を挟む面及び前記第２の規制ブロックの前記第４の規制ブロックとともに前記第２の被覆電線を挟む面の少なくともいずれか一方が粗面となる構成とすることができる。
【００２９】
このような構成により、第１のハウジングと第２のハウジングとの結合によって、第１の規制ブロックと第３の規制ブロックとに挟まれる第１の被覆電線が当該第１の規制ブロックと当該第３の規制ブロックとに対して相対移動する際に、前記第１の規制ブロックの接触抵抗の大きい粗面によって回転し易くなること、及び第２の規制ブロックと第４の規制ブロックとに挟まれる第２の被覆電線が当該第２の規制ブロックと当該第４の規制ブロックとに対して相対移動する際に、前記第２の規制ブロックの接触抵抗の大きい粗面によって回転し易くなることの、少なくともいずれかを可能にすることができる。その結果、第１の接続板片及び第３の接続板片によって第１の被覆電線の被覆材を容易に破ること、及び第２の接続板片及び第４の接続板片によって第２の被覆電線の被覆材を容易に破ることの少なくともいずれかが可能になる。
【００３０】
また、本発明に係る被覆電線接続器において、前記第３の規制ブロックの前記第１の規制ブロックとともに前記第１の被覆電線を挟む面及び前記第４の規制ブロックの前記第２の規制ブロックとともに前記第２の被覆電線を挟む面の少なくともいずれか一方が粗面となる構成とすることができる。
【００３１】
このような構成により、第１のハウジングと第２のハウジングとの結合によって、第１の規制ブロックと第３の規制ブロックとに挟まれる第１の被覆電線が当該第１の規制ブロックと当該第３の規制ブロックとに対して相対移動する際に、前記第３の規制ブロックの接触抵抗の大きい粗面によって回転し易くなること、及び第２の規制ブロックと第４の規制ブロックとに挟まれる第２の被覆電線が当該第２の規制ブロックと当該第４の規制ブロックとに対して相対移動する際に、前記第４の規制ブロックの接触抵抗の大きい粗面によって回転し易くなることの少なくともいずれかが可能になる。その結果、第１の接続板片及び第３の接続板片によって第１の被覆電線の被覆材を容易に破ること、及び第２の接続板片及び第４の接続板片によって第２の被覆電線の被覆材を容易に破ることの少なくともいずれかが可能になる。
【００３２】
更に、本発明に係る被覆電線接続器において、前記傾斜面が粗面となる構成とすることができる。
【００３３】
このような構成により、第１のハウジングと第２のハウジングとの結合によって、第１の規制ブロック、第２の規制ブロック、第３の規制ブロック及び第４の規制ブロックの少なくともいずれかの傾斜面にて第１の被覆電線及び第２の被覆電線の少なくともいずれか一方が対応する規制ブロックと接続板片との間に導かれる際に、前記傾斜面が接触抵抗の大きい粗面であることによって当該被覆電線を回転し易くすることが可能となる。その結果、対応する接続板片にて挟まれる前記被覆電線の被覆材を容易に破ることができるようになる。
【００３４】
なお、前述した各規制ブロックの粗面は、被覆電線との接触抵抗を増大させることを意図して表面を粗くしたものであればよい。
【００３５】
また、本発明に係る被覆電線接続器において、前記傾斜面は、階段状に形成されることで粗面となる構成とすることができる。
【００３６】
このような構成により、第１のハウジングと第２のハウジングとの結合によって、第１の規制ブロック、第２の規制ブロック、第３の規制ブロック及び第４の規制ブロックの少なくともいずれかの傾斜面にて第１の被覆電線及び第２の被覆電線の少なくともいずれか一方が対応する規制ブロックと接続板片との間に導かれる際に、前記傾斜面が接触抵抗の大きい階段状であることによって当該被覆電線を回転し易くすることが可能となる。その結果、対応する接続板片にて挟まれる前記被覆電線の被覆材を容易に破ることができるようになる。
【００３７】
更に、本発明に係る被覆電線接続器において、前記階段状となる前記傾斜面の各段を構成する面は、当該規制ブロックの先端に向けて立ち上がるように傾斜している構成とすることができる。
【００３８】
このような構成により、傾斜面と相対移動する被覆電線に対する当該傾斜面の抵抗がより大きくなり、前記被覆電線をより確実に回転させることができるようになる。
【００３９】
また、本発明に係る被覆電線接続器において、前記第１の規制ブロックの前記第３の規制ブロックとともに前記第１の被覆電線を挟む面の表層部分及び前記第２の規制ブロックの前記第４の規制ブロックとともに前記第２の被覆電線を挟む面の表層部分少なくともいずれか一方が軟質材にて形成される構成とすることができる。
【００４０】
このような構成により、第１のハウジングと第２のハウジングとの結合によって、第１の規制ブロックと第３の規制ブロックとに挟まれる第１の被覆電線が当該第１の規制ブロックと当該第３の規制ブロックとに対して相対移動する際に、前記第１の規制ブロックの接触抵抗の大きい軟質材にて形成された表層部分によって回転し易くなること、及び第２の規制ブロックと第４の規制ブロックとに挟まれる第２の被覆電線が当該第２の規制ブロックと当該第４の規制ブロックとに対して相対移動する際に、前記第２の規制ブロックの接触抵抗の大きい軟質材にて形成された表層部分によって回転し易くなることの、少なくともいずれかを可能にすることができる。その結果、第１の接続板片及び第３の接続板片によって第１の被覆電線の被覆材を容易に破ること、及び第２の接続板片及び第４の接続板片によって第２の被覆電線の被覆材を容易に破ることの少なくともいずれかが可能になる。
【００４１】
更に、本発明に係る被覆電線接続器において、前記第３の規制ブロックの前記第１の規制ブロックとともに前記第１の被覆電線を挟む面の表層部及び前記第４の規制ブロックの前記第２の規制ブロックとともに前記第２の被覆電線を挟む面の表層部少なくともいずれか一方が軟質材にて形成される構成とすることができる。
【００４２】
このような構成により、
第１のハウジングと第２のハウジングとの結合によって、第１の規制ブロックと第３の規制ブロックとに挟まれる第１の被覆電線が当該第１の規制ブロックと当該第３の規制ブロックとに対して相対移動する際に、前記第３の規制ブロックの接触抵抗の大きい軟質材にて形成された表層部分によって回転し易くなること、及び第２の規制ブロックと第４の規制ブロックとに挟まれる第２の被覆電線が当該第２の規制ブロックと当該第４の規制ブロックとに対して相対移動する際に、前記第４の規制ブロックの接触抵抗の大きい軟質材にて形成された表層部分によって回転し易くなることの少なくともいずれかが可能になる。その結果、第１の接続板片及び第３の接続板片によって第１の被覆電線の被覆材を容易に破ること、及び第２の接続板片及び第４の接続板片によって第２の被覆電線の被覆材を容易に破ることの少なくともいずれかが可能になる。
【発明の効果】
【００４３】
本発明に係る被覆電線セット機構によれば、被覆電線が第１の接続板片と第１の規制ブロックとの間で傾いた状態となり、その傾いた状態の被覆電線が第１の接続板片に擦れつつ第１のガイド溝に押されていくことになって、第１の接続板片の角が前記被覆電線の被覆材を破ってその芯線に噛込み易くなり得るため、被覆電線の被覆材を破って前記第１の接続板片に確実に芯線を接続させた状態で当該被覆電線をセットすることができる。
【００４４】
また、本発明に係る被覆電線接続器によれば、第１の被覆電線が第１の接続板片と第１の規制ブロックとの間で傾いた状態となって、その傾いた状態の第１の被覆電線が第１の接続板片に擦れつつ第１のガイド溝に押されていくとともに、第２の被覆電線が第２の接続板片と第２の規制ブロックとの間で傾いた状態となって、その傾いた状態の第２の被覆電線が第２の接続板片に擦れつつ第２のガイド溝に押されていくことになることから、第１の接続板片の角が前記第１の被覆電線の被覆材を破ってその芯線に噛込み易くなり得るとともに、第２の接続板片の角が前記第２の被覆電線の被覆材を破ってその芯線に噛込み易くなるので、第１の被覆電線の芯線と第２の被覆電線の芯線とを電気的に導通する第１の接続板片と第２の接続板片により確実に接続すること、即ち、第１の被覆電線と第２の被覆電線の電気的な接続を確実に行うことができるようになる。
【発明を実施するための最良の形態】
【００４５】
以下、本発明の実施の形態について図面を用いて説明する。
【００４６】
本発明の実施の形態に係る被覆電線接続器は、図１Ａ、図１Ｂ、図２、図３、図４Ａ及び図４Ｂに示すように構成される。なお、図１Ａは、被覆電線接続器の第１のハウジングを示す斜視図であり、図１Ｂは、被覆電線接続器の第２のハウジングを示す斜視図であり、図２は、第１のハウジングと第２のハウジングとを結合して第１の被覆電線と第２の被覆電線とを接続した状態の被覆電線接続器外観を示す斜視図であり、図３は、第１のハウジング及び第２のハウジングそれぞれを被覆電線の延びる方向に切った断面を模式的に示す断面図であり、図４Ａは、第１のハウジング及び第２のハウジングそれぞれを被覆電線の延びる方向に直交する方向に切った断面を示す断面図であり、図４Ｂは、第１のハウジングと第２のハウジングとを結合した状態での各部の平面上での位置関係を示す図である。
【００４７】
図１Ａ、図１Ｂ、図２及び図４Ａにおいて、この被覆電線接続器は、合成樹脂（例えば、ＡＢＳ樹脂やＰＰ樹脂）にて形成された第１のハウジング１０及び第２のハウジング２０を備えている。第１のハウジング１０には、断面が略半円状となって第１の被覆電線Ｗｏをガイドする第１のガイド溝１１ａと、第１のガイド溝１１ａと所定の間隔をもって平行に配置され、断面が略半円形状となって第２の被覆電線Ｗｓをガイドする第２のガイド溝１１ｂとが形成されている。なお、例えば、第１の被覆電線Ｗｏを、車両内を引き回されている電源用の電線（ワイヤハーネス）とし、第２の被覆電線Ｗｓを、その電源用の電線から新たに分岐させる電線（ワイヤハーネス）とすることができる。
【００４８】
第２のハウジング２０には、第１のハウジング１０に形成された第１のガイド溝１１ａ及び第２のガイド溝１１ｂに対応したそれぞれ断面が略半円形状となる第３のガイド溝２１ａ及び第４のガイド溝２１ｂが形成されている。そして、第１のガイド溝１１ａと第３のガイド溝２１ａとが対向接合するとともに、第２のガイド溝１１ｂと第４のガイド溝２１ｂとが対向接合するように、第１のハウジング１０と第２のハウジング２０とが結合可能となっている。
【００４９】
この被覆電線接続器は、特に図２に示すように、第１のハウジング１０と第２のハウジング２０とを結合させて、対向接合する第１のガイド溝１１ａ及び第３のガイド溝２１ａで囲まれる円柱状空間を通る第１の被覆電線Ｗｏと、対向接合する第２のガイド溝１１ｂ及び第４のガイド溝２１ｂで囲まれる円柱状空間を通る第２の被覆電線Ｗｓとを電気的に接続する。
【００５０】
更に、詳細な構造についてみると、図１Ａ、図１Ｂ及び図４Ａに示すように、第１のハウジング１０には、第１のガイド溝１１ａから第２のガイド溝１１ｂにわたってそれらガイド溝１１ａ、１１ｂの延びる方向に略直交するように金属製（例えば、鉄や銅などの導電性を有するもの）の共通接続板片１３が圧入固定等により設けられている。この共通接続板片１３は、一方端部（第１の接続板片部分）が第１のガイド溝１１ａの縁線１１ａ（ｓ２）から当該第１のガイド溝１１ａ内にはみ出すとともに、他方端部（第２の接続板片部分）が第２のガイド溝１１ｂの縁線１１ｂ（ｓ２）から当該第２のガイド溝１１ｂ内にはみ出すように配置されている。また、第１のハウジング１０には、第１の規制ブロック１２ａ及び第２の規制ブロック１２ｂが設けられている。これら第１の規制ブロック１２ａ及び第２の規制ブロック１２ｂは第１のハウジング１０と一体的に樹脂成形されている。第１の規制ブロック１２ａは、図４Ｂに示すように、共通接続板片１３（第１の接続板片部分）と第１のガイド溝１１ａの延びる方向においてΔだけずれた位置に、当該共通接続板片１３（第１の接続板片部分）と逆側の縁線１１ａ（ｓ１）から当該第１のガイド溝１１ａ内にはみ出すように配置されている。また、第２の規制ブロック１２ｂも、同様に、共通接続板片１３（第２の接続板片部分）と第２のガイド溝１１ｂの延びる方向においてΔだけずれた位置に、当該共通接続板片１３（第２の接続板片部分）と逆側の縁線１１ｂ（ｓ１）から当該第２のガイド溝１１ｂ内にはみ出すように配置されている。そして、共通接続板片１３（第１の接続板片部分）と第１の規制ブロック１２ａとの間には第１の被覆電線Ｗｏが入り込むべき隙間が形成されるとともに、共通接続板片１３（第２の接続板片部分）と第２の規制ブロック１２ｂとの間には第２の被覆電線Ｗｓが入り込むべき隙間が形成されている。
【００５１】
第２のハウジング２０には、第３のガイド溝２１ａから第４のガイド溝２１ｂにわたってそれらガイド溝２１ａ、２１ｂの延びる方向に直交するように共通規制ブロック２３が設けられている。この共通規制ブロック２３は、第２のハウジング２０と一体的に樹脂成形されている。共通規制ブロック２３は、一方端部（第３の規制ブロック部分）が第３のガイド溝２１ａの縁線２１ａ（ｓ２）から当該第３のガイド溝２１ａ内にはみ出すとともに、他方端部（第４の規制ブロック部分）が第４のガイド溝２１ｂの縁線２１ｂ（ｓ２）から当該第４のガイド溝２１ｂ内にはみ出すように配置されている。また、第２のハウジング２０には、金属製（例えば、鉄や銅などの導電性を有するもの）の第３の接続板片２２ａ及び第４の接続板片２２ｂが設けられている。第３の接続板片２２ａは、図４Ｂに示すように、共通規制ブロック２３と第３のガイド溝２１ａが延びる方向においてΔだけずれた位置に、共通規制ブロック２３（第３の規制ブロック部分）と逆側の縁線２１ａ（ｓ１）から当該第３のガイド溝２１ａにはみ出すように配置されている。また、第４の接続板片２２ｂも、同様に、共通規制ブロック２３と第４のガイド溝２１ｂが延びる方向においてΔだけずれた位置に、共通規制ブロック２３（第４の規制ブロック部分）と逆側の縁線２１ｂ（ｓ１）から当該第４のガイド溝２１ｂにはみ出すように配置されている。そして、第３の接続板片２２ａと共通規制ブロック（第３の規制ブロック部分）との間には第１の被覆電線Ｗｏが入り込むべき隙間が形成されるとともに、第４の接続板片２２ｂと共通規制ブロック（第４の規制ブロック部分）との間には第２の被覆電線Ｗｓが入り込むべき隙間が形成されている。
【００５２】
更に、第１のハウジング１０に設けられた共通接続板片１３と、第２のハウジング２０に設けられた第３の接続板片２２ａ及び第４の接続板片２２ｂとは、図４Ｂに示すように、第１の被覆電線Ｗｏ（第２の被覆電線Ｗｓ）が延びる方向において同じ位置に配置されている。そして、第１のハウジング１０と第２のハウジング２０とが結合した状態で、共通接続板片１３の一方端部（第１の接続板片部分）の縁端と第３の接続板片２２ａの縁端とが部分的に接触するとともに、共通接続板片１３の他方端部（第２の接続板片部分）の縁端と第４の接続板片２２ｂの縁端とが部分的に接触するようになっている。
【００５３】
第１のハウジング１０に設けられた第１の規制ブロック１２ａ及び第２の規制ブロック１２ｂの先端から所定部分が傾斜面１２ａＳ、１２ｂＳとなり、第２のハウジング２０に設けられた共通規制ブロック１３の一方端部（第３の規制ブロック部分）の先端から所定部分及び他方端部（第４の規制ブロック部分）の先端から所定部分が傾斜面２３ａＳ、２３ｂＳとなっている。また、第１のハウジング１０に設けられた共通接続板片１３の一方端部（第１の接続板片部分）及び他方端部（第２の接続板片部分）それぞれの先端角部分が略円弧状に形成されている。更に、第２のハウジング２０に設けられた第３の接続板２２ａの共通規制ブロック２３に対向する側の角部分と、第４の接続板２２ｂの共通規制ブロック２３に対向する側の角部分とがそれぞれ略円弧状に形成されている。これにより、第１の被覆電線Ｗｏを第１のハウジング１０における第１の規制ブロック１２ａと共通接続板片１３（第１の接続板片部分）との間の隙間に導き易くなるとともに、その第１の被覆電線Ｗｏを第２のハウジング２０における第３の接続板２２ａと共通規制ブロック２３（第３の規制ブロック部分）との間の隙間にも導き易くなり、また、第２の被覆電線Ｗｓを第１のハウジング１０における第２の規制ブロック１２ｂと共通接続板片１３（第２の接続板片部分）との間に導き易くなるとともに、その第２の被覆電線Ｗｓを第２のハウジング２０における第４の接続板片２２ｂと共通規制ブロック２３（第４の規制ブロック部分）との間の隙間に導き易くなる。
【００５４】
また、更に、図１Ａ及び図１Ｂとともに図３を参照するに、第１のハウジング１０には、第２のハウジング２０と結合した際に、第２のハウジング２０に設けられた第３の接続板片２２ａ及び第４の接続板片２２ｂが入り込む空隙部１５ａ、１５ｂが形成されるとともに、第２のハウジング２０に設けられた共通規制ブロック２３が入り込む空隙部１４が形成されている。第２のハウジング２０には、第１のハウジングと結合した際に、第１のハウジング１０に設けられた共通接続板片１３が入り込む空隙部２５が形成されるとともに、第１のハウジング１０に設けられた第１の規制ブロック１２ａ及び第２の規制ブロック１２ｂが入り込む空隙部２４ａ、２４ｂが形成されている。これらの空隙部１４、１５ａ、１５ｂ、２４ａ、２４ｂ、２５により、共通接続板片１３、第１の規制ブロック１２ａ及び第２の規制ブロック１２ｂが第１のハウジング１０の第２のハウジング２０との接合面から突出していても、また、第３の接続板片２２ａ、第４の接続板片２２ｂ及び共通規制ブロック２３が第２のハウジング２０の第１のハウジング１０との接合面から突出していても、第１のガイド溝１１ａと第３のガイド溝２１ａとを対向接合させるとともに、第２のガイド溝１１ｂと第４のガイド溝２１ｂとを対向接合させた状態で第１のハウジング１０と第２のハウジング２０とを結合することが可能となる（図２参照）。
【００５５】
前述したような構造の被覆電線接続器は、次のようにして使用される。
【００５６】
第１の被覆電線Ｗｏを第１のハウジング１０の第１のガイド溝１１ａに合わせるとともに、第２の被覆電線Ｗｓを第１のハウジング１０の第２のガイド溝１１ｂに合わせた状態で、第１のハウジング１０と第２のハウジング２０を結合させる。第１のハウジング１０と第２のハウジング２０とが結合していく過程で、第１の被覆電線Ｗｏは、図５Ａ及び図７に示すように、共通規制ブロック２３と第１の規制ブロック１２ａとによって挟まれて位置規制がされつつ共通規制ブロック２３によって第１のガイド溝１１ａに向けて押されていく。そのとき、同時に、共通規制ブロック２３と第１の規制ブロック１２ａによって位置規制のなされている第１の被覆電線Ｗｏは、第１の規制ブロック１２ａによって相対的に第３のガイド溝２１ａに向けて押されていく。その過程で、第１の被覆電線Ｗｏは、第１のハウジング１０側において、共通接続板片１３の一方端部（第１の接続板片部分）と第１の規制ブロック１２ａとの間に挟まれるとともに、第２のハウジング２０側において、第３の接続板片２２ａと共通規制ブロック２３の一方端部（第３の規制ブロック部分）との間に挟まれる。
【００５７】
このとき、第１のハウジング１０において、共通接続板片１３と第１の規制ブロック１２ａとが第１の被覆電線Ｗｏの延びる方向においてΔだけずれた異なる位置にあることから、共通接続板片１３と第１の規制ブロック１２ａとによって挟まれる第１の被覆電線Ｗｏが、図５Ｂ及び図８に示すように、その共通接続板片１３と第１の規制ブロック１２ａとの間で傾いた状態となる。また、同様に、第２のハウジング２０においても、第３の接続板片２２ａと共通規制ブロック２３の一方端部（第３の規制ブロック部分）とが第１の被覆電線Ｗｏの延びる方向においてΔだけずれた異なる位置にあることから、第３の接続板片２２ａと共通規制ブロック２３とによって挟まれる第１の被覆電線Ｗｏが、図５Ｂ及び図９に示すように、その第３の接続板片２２ａと共通規制ブロック２３との間で傾いた状態となる。
【００５８】
このように傾いた状態の第１の被覆電線Ｗｏは、共通接続板片１３の一方端部（第１の接続板片部分）に擦られつつ第１のガイド溝１１ａに押されていくとともに、第３の接続板片２２ａに擦られつつ第３のガイド溝２１ａに相対的に押されていく過程で、図８及び図９に示すように、共通接続板片１３の一方端部（第１の接続板片部分）の角が第１の被覆電線Ｗｏの被覆材（例えば、軟質のＰＶＣ）に食い込んでそれを破りつつその芯線Ｗｏ（ｓ）に噛込むとともに、図９に示すように、第３の接続板片２２ａの角が第１の被覆電線Ｗｏの被覆材に食い込んでそれを破りつつ芯線Ｗｏ（ｓ）に噛込む。
【００５９】
更に、第１の被覆電線Ｗｏが共通規制ブロック２３の一方端部（第３の規制ブロック部分）によって第１のガイド溝１１ａに押し入れられるとともに、第１の規制ブロック１２ａによって相対的に第３のガイド溝２１ａに押し入れられていく過程で、図１０に示すように、第１の被覆電線Ｗｏに対する共通規制ブロック２３の移動方向Ａと第１の規制ブロック１２ａの移動方向Ｂとが逆方向となることから、第１の規制ブロック１２ａと共通規制ブロック２３に挟まれる第１の被覆電線Ｗｏが回転させられつつ（図１０において時計回り方向に）共通接続板片１３の一方端部（第１の接続板片部分）に擦られるとともに、第３の接続板片２２ａに擦られる。
【００６０】
また、もともと合成樹脂製の第１の規制ブロック１２ａに対する第１の被覆電線Ｗｏの接触抵抗が、金属製の共通接続板片１３に対する第１の被覆電線Ｗｏの接触抵抗より大きいことから、第１の被覆電線Ｗｏが金属製の共通接続板片１３と合成樹脂製の第１の規制ブロック１２ａとの間を移動（相対移動）する際に、例えば、図１１（ａ）、（ｂ）、（ｃ）、（ｄ）に示すように、その比較的大きい接触抵抗に起因した第１の規制ブロック１２ａ側からの反力によって、第１の被覆電線Ｗｏには回転力（図１２において時計回り方向）が与えられる。
【００６１】
このような合成樹脂製の第１の規制ブロック１２ａ及び共通規制ブロック２３の機能によって、第１の被覆電線Ｗｏが回転しつつ移動するので、前述したように共通接続板片１３の一方端部（第１の接続板片部分）の角が食い込んだ第１の被覆電線Ｗｏの被覆材の半周分が確実に切り裂かれる。また同時に、前述したように第３の接続板片２２ａの角が食い込んだ第１の被覆電線Ｗｏの被覆材の残り半周分もまた確実に切裂かれる。
【００６２】
そして、第１のハウジング１０と第２のハウジング２０とが図２に示すように完全に結合すると、図６Ａ及び図６Ｂに示すように、第１の被覆電線Ｗｏが第１のハウジング１０の第１のガイド溝１１ａ及び第２のハウジング２０の第３のガイド溝２１ａにて囲まれる空間に保持されるとともに、被覆材を切裂いた共通接続板片１３の一方端部（第１の接続板片部分）と第３の接続板片２２ａとが第１の被覆電線Ｗｏの芯線Ｗｏ（ｓ）に強固に噛み込んだ状態となる。また、共通接続板片１３の一方端部（第１の接続板片部分）の縁端と第３の接続板片２２ａの縁端とが部分的に接合して、それらによって囲まれる空隙Ｅａが形成され（図６Ａ参照）、共通接続板片１３の一方端部（第１の接続板片部分）と第３の接続板片２２ａとによって強固に噛込まれた状態となる第１の被覆電線Ｗｏの芯線Ｗｏ（ｓ）がその空隙Ｅａ内に確実に保持される。なお、空隙Ｅａは、例えば、第1の被覆電線Ｗｏの被覆材の径よりも狭く、前記共通接続板片１３と第３の接続板片２２ａとが芯線Ｗｏ（ｓ）をつぶして当該芯線Ｗｏ（ｓ）に密着する程度の幅に設定される。
【００６３】
第２の被覆電線Ｗｓについても、第１の被覆電線Ｗｏの場合と同様に、第１のハウジング１０と第２ハウジング２０とを結合する際に、共通接続板片１３の他方端部（第２の接続板片部分）と第２の規制ブロック１２ｂとの間及び第４の接続板片２２ｂと共通規制ブロック２３の他方端部（第４の規制ブロック）との間のそれぞれで傾いた状態となり、その傾いた状態の第２の被覆電線Ｗｓが共通接続板片１３の他方端部（第２の接続板片部分）に擦れつつ第２のガイド溝１１ｂに押されていくとともに、第４の接続板片２２ｂに擦れつつ第４のガイド溝２１ｂに押されていく。それにより、第１の被覆電線Ｗｏの場合と同様に、第１のハウジング１０と第２のハウジング２０とが図２に示すように完全に結合すると、第２の被覆電線Ｗｓは、図６Ａに示すように、第１のハウジング１０の第２のガイド溝１１ｂ及び第２のハウジング２０の第４のガイド溝２１ｂにて囲まれる空間に保持されるとともに、被覆材を切裂いた共通接続板片１３の他方端部（第２の接続板片部分）と第４の接続板片２２ｂとがその芯線Ｗｓ（ｓ）に強固に噛み込んだ状態となる。また、共通接続板片１３の他方端部（第２の接続板片部分）の縁端と第４の接続板片２２ｂの縁端とが部分的に接合して、それらによって囲まれる空隙Ｅｂが形成され（図６Ａ参照）、共通接続板片１３の他方端部（第２の接続板片部分）と第４の接続板片２２ｂとによって強固に噛込まれた状態となる第２の被覆電線Ｗｓの芯線Ｗｓ（ｓ）がその空隙Ｅｂ内に確実に保持される。なお、空隙Ｅｂは、前記空隙Ｅａと同様に、例えば、第２の被覆電線Ｗｓの被覆材の径よりも狭く、前記共通接続板片１３と第４の接続板片２２ｂとが芯線Ｗｓ（ｓ）をつぶして当該芯線Ｗｓ（ｓ）に密着する程度の幅に設定される。
【００６４】
前述したように、第１の被覆電線Ｗｏと第２の被覆電線Ｗｓとを収めて第１のハウジング１０と第２のハウジング２０とを結合することにより、第１の被覆電線Ｗｏと第２の被覆電線Ｗｓとが共通接続板片１３を介して電気的に接続された状態となる。
【００６５】
本実施の形態に係る被覆電線接続器によれば、共通接続板１３の一方部分（第１の接続板片部分）の角及び第３の接続板片２２ａの角のそれぞれが前記第１の被覆電線Ｗｏの被覆材を破ってその芯線Ｗｏ（ｓ）に噛込むとともに、共通接続板片１３の他方部分（第２の接続板片部分）の角及び第４の接続板片２２ｂの角のそれぞれが前記第２の被覆電線Ｗｓの被覆材を破ってその芯線Ｗｓ（ｓ）に噛込むので、第１の被覆電線Ｗｏの芯線Ｗｏ（ｓ）と第２の被覆電線Ｗｓの芯線Ｗｓ（ｓ）とを共通接続板片１３により確実に接続すること、即ち、第１の被覆電線Ｗｏと第２の被覆電線Ｗｏとの電気的な接続を確実に行うことができるようになる。
【００６６】
上述した実施の形態において、第１のハウジング１０に設けられた第１の規制ブロック１２ａ、第２の規制ブロック１２ｂ、第２のハウジング２０に設けられた共通規制ブロック２３の少なくともいずれかの被覆電線（第１の被覆電線Ｗｏまたは第２の被覆電線Ｗｓ）との接触面は、被覆電線との接触抵抗を増大させて、当該被覆電線を回転させ易くするという観点から、粗面にすることが好ましい。具体的には、第１の規制ブロック１２ａの傾斜面１２ａＳ、第２の規制ブロック１２ｂの傾斜面１２ｂＳ、共通規制ブロック２３の一方の傾斜面２３ａＳ及びその他方の傾斜面２３ｂＳの少なくともいずれかは、粗面にすることが好ましい。
【００６７】
なお、粗面とは、梨地状にする、細かいボスや凹凸を形成する等、被覆電線との接触抵抗を増大させることを意図して表面を粗くしたものであればよい。
【００６８】
特に、前記各傾斜面１２ａＳ、１２ｂＳ、２３ａＳ、２３ｂＳの少なくともいずれかは、第１の規制ブロック１２ａの傾斜面１２ａＳ及び共通規制ブロック２３の一方側端部側の傾斜面２３ａＳの例を示す図１２Ａや図１３Ａのように、階段状に形成することにより、粗面化することができる。この場合、例えば、第１の規制ブロック１２ａの傾斜面１２ａＳについて図１２Ｂに示すように、階段状の傾斜面１２ａＳの各段を構成する面１２１ｐは、その立ち下がり面１２１ｄに対して垂直に延びるように形成される。また、被覆電線との接触抵抗を更に大きくするという観点から、図１３Ｂに示すように、階段状の傾斜面１２ａＳの各段を構成する面１２２ｐをその第１の規制ブロック１２ａの先端に向けて立ち上がるように傾斜させることができる。
【００６９】
また、更に、前記同様被覆電線との接触抵抗を増大させるという観点から、第１のハウジング１０に設けられた第１の規制ブロック１２ａ、第２の規制ブロック１２ｂ、第２のハウジング２０に設けられた共通規制ブロック２３の少なくともいずれかの被覆電線（第１の被覆電線Ｗｏまたは第２の被覆電線Ｗｓ）と接触する表層部分をシリコンゴム等のような軟質材で形成することができる。例えば、図１４に示すように、第１の規制ブロック１２ａの第１の被覆電線Ｗｏに接触する表層部分１２（ｆｏ）及び共通規制ブロック２３の一方端部（第３の規制ブロック部分）の第１の被覆電線Ｗｏに接触する表層部分２３（ｆｏ）をシリコンゴム等の軟質材にて形成することができる。この場合、第１のハウジング１０と第２のハウジング２０とが結合する際に、第１の被覆電線Ｗｏに対する共通規制ブロック２３の相対移動方向Ａと、同じ第１の被覆電線Ｗｏに対する第１の規制ブロック１２ａとの相対移動方向Ｂとが反対となり、それぞれ軟質材にて形成される表層部分１２（ｆｏ）と表層部分２３（ｆｏ）とに十分密着した第１の被覆電線Ｗｏが確実に回転させられる。これにより、第１の被覆電線Ｗｏの被覆材が共通接続板片１３及び第３の接続板片２２ａによって確実に切裂かれるようになる。
【００７０】
なお、前述した共通接続板片１３は、第１のガイド溝１１ａにはみ出す部分（第１の接続板片部分）と第２のガイド溝１１ｂにはみ出す部分（第２の接続板片部分）とに分割し、それらを電気的に導通させるように構成するようにしてもよい。
【００７１】
また、前述した共通規制ブロック２３も、第３のガイド溝２１ａにはみ出す部分（第３の規制ブロック部分）と第４のガイド溝２１ｂにはみ出す部分（第４の接続板片部分）との分割することができる。
【００７２】
共通規制ブロック２３を分割する場合、従来の被覆電線接続器（図１５Ａ、図１５Ｂ参照）のように、第２のハウジング２０を、それぞれ分離された、第３のガイド溝２１ａが形成された部分と、第４のガイド溝２２ａが形成された部分とで構成することも可能である。
【００７３】
第１の被覆電線Ｗｏをセットする部分（第１のハウジング１０における第１のガイド溝１１ａ、第１の規制ブロック１２ａ及び共通接続板片部１３の一方端部と、第２のハウジング２０における第３のガイド溝２１ａ、共通規制ブロック２３の一方端部及び第３の接続板片２２ａ）または、第２の被覆電線Ｗｓをセットする部分（第１のハウジング１０における第２のガイド溝１１ｂ、第２の規制ブロック１２ｂ及び共通接続板片部１３の他方端部と、第２のハウジング２０における第４のガイド溝２１ｂ、共通規制ブロック２３の他方端部及び第４の接続板片２２ｂ）を、単独で、被覆電線セット機構として、配線端子等として利用することも可能である。
【００７４】
また、第1のハウジング１０と第２のハウジング２０とを屈曲性を有する腕部を介して一体成形した構造とすることもできる。
【産業上の利用可能性】
【００７５】
以上、説明したように、本発明に係る被覆電線セット機構は、被覆電線の被覆材を破って接続板片に確実に芯線を接続させた状態で当該被覆電線をセットすることができるという効果を有し、配線端子等として有効に利用することができる。
【００７６】
また、本発明に係る被覆電線接続器は、２つの被覆電線の電気的な接続を確実に行うことができるという効果を有し、車両内に引き回された被覆電線を分岐させる等の機器として有効に利用することができる。
【図面の簡単な説明】
【００７７】
【図１Ａ】本発明の実施の形態に係る被覆電線接続器の第１のハウジングを示す斜視図である。
【図１Ｂ】本発明の実施の形態に係る被覆電線接続器の第２のハウジングを示す斜視図である。
【図２】図１Ａに示す第１のハウジングと図１Ｂに示す第２のハウジングとを結合して第１の被覆電線と第２の被覆電線とを接続した状態の被覆電線接続器外観を示す斜視図である。
【図３】第１のハウジング及び第２のハウジングそれぞれを被覆電線の延びる方向に切った断面を模式的に示す断面図である。
【図４Ａ】第１のハウジング及び第２のハウジングそれぞれを被覆電線の延びる方向に直交する方向に切った断面を示す断面図（その１）である。
【図４Ｂ】第１のハウジングと第２のハウジングとを結合した状態での各部の平面上での位置関係を示す図（その１）である。
【図５Ａ】第１のハウジング及び第２のハウジングそれぞれを被覆電線の延びる方向に直交する方向に切った断面を示す断面図（その２）である。
【図５Ｂ】第１のハウジングと第２のハウジングとを結合した状態での各部の平面上での位置関係を示す図（その２）である。
【図６Ａ】第１のハウジング及び第２のハウジングそれぞれを被覆電線の延びる方向に直交する方向に切った断面を示す断面図（その３）である。
【図６Ｂ】第１のハウジングと第２のハウジングとを結合した状態での各部の平面上での位置関係を示す図（その３）である。
【図７】第１の被覆電線Ｗｏ（第２の被覆電線Ｗｓ）を、共通接続板片と第１の規制ブロック（第２の規制ブロック）との間、及び第３の接続板片（第４の接続板片２２ｂ）と共通規制ブロックとの間に挟んだ状態を示す図である。
【図８】共通接続板片と第１の規制ブロックとによって挟まれた状態の第１の被覆電線Ｗｏを示す図である。
【図９】共通接続板片と第１の規制ブロックとによって及び第３の接続板片と共通規制ブロックとによってそれぞれ挟まれた状態の第１の被覆電線Ｗｏを示す図である。
【図１０】第１のハウジングおいて第１の被覆電線を挟む共通接続板片と第１の規制ブロックと、第２のハウジングにおいて第１の被覆電線を挟む第３の接続板片と共通規制ブロックとの関係を示す図である。
【図１１】第１のハウジングにおける共通接続板片と第１の規制ブロックとの間を相対移動する第１の被覆電線の状態（ａ）、（ｂ）、（ｃ）、（ｄ）を示す図である。
【図１２Ａ】第１のハウジングおいて共通接続板片とともに第１の被覆電線を挟む第１の規制ブロックの傾斜面及び、第２のハウジングにおいて第３の接続板片とともに第１の被覆電線を挟む共通規制ブロックの傾斜面の構成例を示す図である。
【図１２Ｂ】図１２Ａに示す傾斜面を拡大して示す図である。
【図１３Ａ】第１のハウジングおいて共通接続板片とともに第１の被覆電線を挟む第１の規制ブロックの傾斜面及び、第２のハウジングにおいて第３の接続板片とともに第１の被覆電線を挟む共通規制ブロックの傾斜面の他の構成例を示す図である。
【図１３Ｂ】図１３Ａに示す傾斜面を拡大して示す図である。
【図１４】第１のハウジング及び第２のハウジングおいて第１の被覆電線を挟む第１の規制ブロック及び共通規制ブロックの前記第１の被覆電線との接触面の構造例を示す図である。
【図１５Ａ】従来の被覆電線接続器を示す斜視図（その１）である。
【図１５Ｂ】従来の被覆電線接続器を示す斜視図（その２）である。
【図１６Ａ】従来の被覆電線接続器の２つの被覆電線を接続する前の状態を示す断面図である。
【図１６Ｂ】従来の被覆電線接続器の２つの被覆電線を接続した状態を示す断面図である。
【符号の説明】
【００７８】
１０  第１のハウジング
１１ａ  第１のガイド溝
１１ｂ  第２のガイド溝
１２ａ  第１の規制ブロック
１２ｂ  第２の規制ブロック
１３  共通接続板片（第１の接続板片部分、第２の接続板片部分）
１４、１５ａ、１５ｂ  空隙部
２０  第２のハウジング
２１ａ  第３のガイド溝
２１ｂ  第４のガイド溝
２２ａ  第３の接続板片
２２ｂ  第４の接続板片
２３  共通規制ブロック（第３の規制ブロック部分、第４の規制ブロック部分）
２４ａ、２４ｂ、２５  空隙部
【図１Ａ】
2010027526.tif 000003
【図１Ｂ】
2010027526.tif 000004
【図２】
2010027526.tif 000005
【図３】
2010027526.tif 000006
【図４Ａ】
2010027526.tif 000007
【図４Ｂ】
2010027526.tif 000008
【図５Ａ】
2010027526.tif 000009
【図５Ｂ】
2010027526.tif 000010
【図６Ａ】
2010027526.tif 000011
【図６Ｂ】
2010027526.tif 000012
【図７】
2010027526.tif 000013
【図８】
2010027526.tif 000014
【図９】
2010027526.tif 000015
【図１０】
2010027526.tif 000016
【図１１】
2010027526.tif 000017
【図１２Ａ】
2010027526.tif 000018
【図１２Ｂ】
2010027526.tif 000019
【図１３Ａ】
2010027526.tif 000020
【図１３Ｂ】
2010027526.tif 000021
【図１４】
2010027526.tif 000022
【図１５Ａ】
2010027526.tif 000023
【図１５Ｂ】
2010027526.tif 000024
【図１６Ａ】
2010027526.tif 000025
【図１６Ｂ】
2010027526.tif 000026